(57)【要約】【課題】信頼性を向上させることができるトンネル照明システム及び電力供給装置を提供する。【解決手段】電力供給装置は、交流を直流に変換する交直変換部と、交直変換部に接続され、所要の定電流を出力する定電流出力部と、定電流出力部に設けられた正端子及び負端子とを備え、正端子及び負端子に接続され、トンネルに沿って配設された直流給電線をさらに備え、複数の前記照明器具それぞれは、複数のＬＥＤを備え、所要間隔で前記直流給電線に直列に接続してある。【選択図】図１
2017212101.tif 000002
【特許請求の範囲】
【請求項１】
トンネル内に設置される複数の照明器具と、該複数の照明器具に電力を供給する電力供給装置とを備えるトンネル照明システムにおいて、
前記電力供給装置は、
交流を直流に変換する交直変換部と、
該交直変換部に接続され、所要の定電流を出力する定電流出力部と、
該定電流出力部に設けられた正端子及び負端子と
を備え、
前記正端子及び負端子に接続され、トンネルに沿って配設された直流給電線をさらに備え、
複数の前記照明器具それぞれは、
複数のＬＥＤを備え、
所要間隔で前記直流給電線に直列に接続してあることを特徴とするトンネル照明システム。
【請求項２】
前記電力供給装置は、
前記定電流出力部を複数備え、
各定電流出力部の前記正端子及び負端子に接続された各系統の直流給電線をさらに備え、
各系統の直流給電線それぞれに複数の前記照明器具を直列に接続してあることを特徴とする請求項１に記載のトンネル照明システム。
【請求項３】
前記電力供給装置は、
前記直流給電線に直列に接続される前記照明器具の数に応じて、前記定電流出力部の出力電圧を調整する電圧調整部を備えることを特徴とする請求項１又は請求項２に記載のトンネル照明システム。
【請求項４】
トンネルの野外輝度又は野外照度を検出する検出部を備え、
前記電力供給装置は、
前記検出部で検出した輝度又は照度の大小に応じて、一の直流給電線を介して一の定電流出力部がトンネルの入口付近に設置された複数の前記照明器具へ出力する出力電流の大小を調整する電流調整部を備えることを特徴とする請求項１から請求項３までのいずれか１項に記載のトンネル照明システム。
【請求項５】
前記電力供給装置は、
前記交直変換部により充電される蓄電池と、
交流の遮断の有無を検出する遮断検出部と、
該遮断検出部で交流の遮断を検出した場合、前記定電流出力部への接続を前記交直変換部から前記蓄電池に切り替える切替部と
を備えることを特徴とする請求項１から請求項４までのいずれか１項に記載のトンネル照明システム。
【請求項６】
トンネル内に設置される複数の照明器具に電力を供給する電力供給装置において、
交流を直流に変換する交直変換部と、
該交直変換部に接続され、所要の定電流を出力する定電流出力部と、
該定電流出力部に設けられ、トンネルに沿って配設された直流給電線が接続される正端子及び負端子と
をそれぞれ系統毎に備えることを特徴とする電力供給装置。
【請求項７】
前記交直変換部及び／又は前記定電流出力部は、
系統毎にユニット化され、交換取り外しが可能であることを特徴とする請求項６に記載の電力供給装置。
【発明の詳細な説明】
【技術分野】
【０００１】
本発明は、トンネル内に設置される複数の照明器具と、複数の照明器具に電力を供給する電力供給装置とを備えるトンネル照明システム及び前記電力供給装置に関する。
【背景技術】
【０００２】
従来のトンネル照明システムでは、例えば、三相交流を照明器具に伝送するための交流給電線をトンネル内に沿って配線し、交流給電線から電源線を分岐させて、適長離隔してトンネル内に設置された各照明器具へ交流電源を供給する。各照明器具は、入力される交流電圧を直流に変換する整流回路、整流回路の出力側に設けられたＤＣ／ＤＣコンバータ、該ＤＣ／ＤＣコンバータにより所要の直流電流が供給されるＬＥＤ光源などを備える（特許文献１参照）。
【先行技術文献】
【特許文献】
【０００３】
【特許文献１】特開２０１１−１４２０２６号公報
【発明の概要】
【発明が解決しようとする課題】
【０００４】
しかし、従来のトンネル照明システムにあっては、各照明器具内に、ＡＣ／ＤＣ変換回路及びＤＣ／ＤＣコンバータなど含む電源回路部を設ける必要があり、照明器具に内蔵する電源回路部の熱により、ＬＥＤ光源の周囲温度が上昇し、照明器具の寿命への悪影響が生じ、トンネル照明システムの信頼性が低下するおそれがある。
【０００５】
本発明は、斯かる事情に鑑みてなされたものであり、信頼性を向上させることができるトンネル照明システム及び電力供給装置を提供することを目的とする。
【課題を解決するための手段】
【０００６】
本発明の実施の形態に係るトンネル照明システムは、トンネル内に設置される複数の照明器具と、該複数の照明器具に電力を供給する電力供給装置とを備えるトンネル照明システムにおいて、前記電力供給装置は、交流を直流に変換する交直変換部と、該交直変換部に接続され、所要の定電流を出力する定電流出力部と、該定電流出力部に設けられた正端子及び負端子とを備え、前記正端子及び負端子に接続され、トンネルに沿って配設された直流給電線をさらに備え、複数の前記照明器具それぞれは、複数のＬＥＤを備え、所要間隔で前記直流給電線に直列に接続してあることを特徴とする。
【０００７】
本発明の実施の形態に係る電力供給装置は、トンネル内に設置される複数の照明器具に電力を供給する電力供給装置において、交流を直流に変換する交直変換部と、該交直変換部に接続され、所要の定電流を出力する定電流出力部と、該定電流出力部に設けられ、トンネルに沿って配設された直流給電線が接続される正端子及び負端子とをそれぞれ系統毎に備えることを特徴とする。
【０００８】
本実施の形態にあっては、電力供給装置は、交流を直流に変換する交直変換部と、交直変換部に接続され、所要の定電流を出力する定電流出力部と、定電流出力部に設けられた正端子及び負端子とを備える。さらに、正端子及び負端子に接続され、トンネルに沿って配設された直流給電線を備える。複数の照明器具それぞれは、複数のＬＥＤを備える。そして、複数の照明器具それぞれは、所要間隔で直流給電線に直列に接続してある。
【０００９】
すなわち、トンネル内に設置される各照明器具は、電力供給装置の定電流出力部から、直流の定電流が供給され、照明器具内には、ＡＣ／ＤＣ変換回路及びＤＣ／ＤＣコンバータなどの電源回路部を内蔵しない。これにより、照明器具内のＬＥＤが、電源回路部の熱の影響を受けないので、ＬＥＤの温度上昇を抑制することができ、照明器具及びトンネル照明システムの信頼性を向上させることができる。
【００１０】
本発明の実施の形態に係るトンネル照明システムにおいて、前記電力供給装置は、前記定電流出力部を複数備え、各定電流出力部の前記正端子及び負端子に接続された各系統の直流給電線をさらに備え、各系統の直流給電線それぞれに複数の前記照明器具を直列に接続してあることを特徴とする。
【００１１】
本実施の形態にあっては、電力供給装置は、定電流出力部を複数備え、各定電流出力部の正端子及び負端子に接続された各系統の直流給電線をさらに備える。そして、各系統の直流給電線それぞれに複数の照明器具を直列に接続してある。
【００１２】
例えば、トンネル内の複数の照明器具を複数の系統に区分し、系統毎に定電流出力部を設ける。すなわち、系統毎に、一つの定電流出力部と、当該定電流出力部の正端子及び負端子に接続された直流給電線と、当該直流給電線に直列に接続された複数の照明器具を設けることができる。これにより、トンネル内の照明器具を複数の系統毎に区分することができ、区分毎に個別に直流の定電流を供給することができるので、照明器具の設置、増設、保守点検などを容易に実施することができる。
【００１３】
本発明の実施の形態に係るトンネル照明システムにおいて、前記電力供給装置は、前記直流給電線に直列に接続される前記照明器具の数に応じて、前記定電流出力部の出力電圧を調整する電圧調整部を備えることを特徴とする。
【００１４】
本実施の形態にあっては、電力供給装置は、直流給電線に直列に接続される照明器具の数に応じて、定電流出力部の出力電圧を調整する電圧調整部を備える。例えば、照明器具が複数のＬＥＤを直列に接続した光源部を備え、１台の照明器具当たりの順方向電圧をＶとし、直流給電線に直列に接続される照明器具の数をＮとすると、電圧調整部は、出力電圧をＶ×Ｎ＋Ｖ０に調整することができる。ここで、Ｖ０は、照明器具の順方向電圧のバラツキ及び直流給電線での電圧降下を考慮した余裕電圧である。これにより、トンネル内の複数の照明器具を複数の系統に区分した場合、系統毎に照明器具の設置台数を変えることができ、照明器具の設置、増設などを容易に実施することができる。
【００１５】
本発明の実施の形態に係るトンネル照明システムは、トンネルの野外輝度又は野外照度を検出する検出部を備え、前記電力供給装置は、前記検出部で検出した輝度又は照度の大小に応じて、一の直流給電線を介して一の定電流出力部がトンネルの入口付近に設置された複数の前記照明器具へ出力する出力電流の大小を調整する電流調整部を備えることを特徴とする。
【００１６】
本実施の形態にあっては、トンネルの野外輝度又は野外照度を検出する検出部を備える。電力供給装置は、検出部で検出した輝度又は照度の大小に応じて、一の直流給電線を介して一の定電流出力部がトンネルの入口付近に設置された複数の照明器具へ出力する出力電流の大小を調整する電流調整部を備える。
【００１７】
トンネルの入口付近に設置された複数の照明器具を纏めて入口照明器具（入口照明）と称する。一の定電流出力部が入口照明器具へ出力電流を供給するとする。電流調整部は、トンネルの野外輝度又は野外照度が大きくなった場合、一の定電流出力部が入口照明器具へ出力する出力電流を大きくする。また、電流調整部は、トンネルの野外輝度又は野外照
度が小さくなった場合、一の定電流出力部が入口照明器具へ出力する出力電流を小さくする。
【００１８】
上述のように、トンネルの外が明るい場合には、定電流出力部が出力する出力電流を大きくしてトンネルの入口付近の明るさを明るくして、運転者がトンネルに入った直後に暗く感じることを防止することができる。また、定電流出力部が出力する出力電流を調整するだけで、各照明器具のＬＥＤに流れる電流を調整して照明器具の明るさを調整することができるので、従来のシステムのように、照明器具毎に配線された調光制御線を必要とせず、省配線、省施工、コストダウン等を図ることができる。
【００１９】
本発明の実施の形態に係るトンネル照明システムにおいて、前記電力供給装置は、前記交直変換部により充電される蓄電池と、交流の遮断の有無を検出する遮断検出部と、該遮断検出部で交流の遮断を検出した場合、前記定電流出力部への接続を前記交直変換部から前記蓄電池に切り替える切替部とを備えることを特徴とする。
【００２０】
本実施の形態にあっては、電力供給装置は、交直変換部により充電される蓄電池と、交流の遮断の有無を検出する遮断検出部と、遮断検出部で交流の遮断を検出した場合、定電流出力部への接続を交直変換部から蓄電池に切り替える切替部とを備える。
【００２１】
停電補償が必要な複数の照明器具に対して、交流が遮断した場合（停電が発生した場合）、バッテリからの直流が定電流出力部へ供給され、バッテリにより複数の照明器具を点灯させることができるので、従来のシステムのように、照明器具毎にバッテリを内蔵する必要がない。このため、照明器具の大型化、重量化及びコストアップを抑制することができるとともに、トンネル内の照明器具に内蔵したバッテリの交換が不要なので、保守、点検が容易になる。
【００２２】
本発明の実施の形態に係る電力供給装置において、前記交直変換部及び／又は前記定電流出力部は、系統毎にユニット化され、交換取り外しが可能であることを特徴とする。
【００２３】
本実施の形態にあっては、交直変換部及び定電流出力部のいずれか一方、あるいは両方が、系統毎にユニット化され、交換取り外しが可能である。これにより、電力供給装置の保守や点検が容易になる。また、一つの系統における交直変換部又は定電流出力部を保守、点検する場合に、系統毎にユニット化されているので、他の系統の運転に影響を与えることを防止することができる。
【発明の効果】
【００２４】
本発明によれば、信頼性を向上させることができる。
【図面の簡単な説明】
【００２５】
【図１】本実施の形態のトンネル照明システムの構成の一例を示す模式図である。
【図２】本実施の形態の電力供給装置の構成の一例を示す説明図である。
【図３】本実施の形態の照明器具の構成の一例を示す説明図である。
【発明を実施するための形態】
【００２６】
以下、本発明を実施の形態を示す図面に基づいて説明する。図１は本実施の形態のトンネル照明システムの構成の一例を示す模式図である。図１に示すように、本実施の形態のトンネル照明システムは、トンネル２内に設置される複数の照明器具５０ａ、５０ｂ、５０ｃ、５０ｄ、複数の照明器具５０ａ、５０ｂ、５０ｃ、５０ｄに電力を供給する電力供給装置１００などを備える。トンネル２には、一方の矢印で示す上り車線と、他方の矢印で示す下り車線とからなる道路が貫通している。照明器具５０ａ、５０ｂは、上り車線側
を照らし、照明器具５０ｃ、５０ｄは、下り車線側を照らす。また、車線の数は、片側１車線に限定されない。
【００２７】
電力供給装置１００には、４つの系統の直流給電線１ａ、１ｂ、１ｃ、１ｄが接続されている。直流給電線１ａには、所要間隔で４個の照明器具５０ａが直列に接続されている。直流給電線１ｂには、所要間隔で８個の照明器具５０ｂが直列に接続されている。直流給電線１ｃには、所要間隔で８個の照明器具５０ｃが直列に接続されている。また、直流給電線１ｄには、所要間隔で４個の照明器具５０ｄが直列に接続されている。
【００２８】
ここで、照明器具５０ａ、５０ｄは、トンネルの入口（出口）付近を照明する入口照明（及び出口照明）であり、照明器具５０ｂ、５０ｃは、トンネル全線に亘って一定の間隔で配置される基本照明である。なお、図１では、簡便のため、系統の数、照明器具の数は少ないが、実際のトンネルでは、トンネルの長さに応じて、さらに多くの照明器具が設置され、照明器具の数に応じて多くの系統が割り当てられる。
【００２９】
図２は本実施の形態の電力供給装置１００の構成の一例を示す説明図である。図２に示すように、電力供給装置１００は、ＡＣ／ＤＣコンバータ１０、切替部１３、リレー１４、バッテリ１５、遮断検出部１６、調光制御部１８、ＤＣ／ＤＣコンバータ２０ａ、２０ｂ、２０ｃ、２０ｄなどを備える。また、符号１７は、トンネル２の野外輝度又は野外照度を検出する検出部１７である。なお、図２の例では、簡便のため、電力供給装置１００は、ＤＣ／ＤＣコンバータを４個備える構成であるが、ＤＣ／ＤＣコンバータの数は４個に限定されるものではない。
【００３０】
ＡＣ／ＤＣコンバータ１０には、交流電源３（例えば、商用電源など）からの電源線４が接続されている。交流電源３は、例えば、ＡＣ１００Ｖ〜２６５Ｖ程度の交流電圧を供給する。ＡＣ／ＤＣコンバータ１０は、交直変換部としての機能を有し、交流を直流に変換し、変換した直流をＤＣ／ＤＣコンバータ２０ａ、２０ｂ、２０ｃ、２０ｄへ出力する。すなわち、ＡＣ／ＤＣコンバータ１０には、ＤＣ／ＤＣコンバータ２０ａ、２０ｂ、２０ｃ、２０ｄが接続されている。
【００３１】
また、ＡＣ／ＤＣコンバータ１０は、変換した直流をバッテリ１５に供給することにより、蓄電池としてのバッテリ１５を充電する。不図示の充電制御部が、リレー１４を開閉することにより、バッテリ１５への充電を制御する。
【００３２】
遮断検出部１６は、例えば、電圧センサ又は電流センサで構成することができ、電源線４上の交流が遮断されたか（停電となったか）否かを検出する。
【００３３】
切替部１３は、遮断検出部１６で交流の遮断を検出した場合、ＤＣ／ＤＣコンバータ２０ａ、２０ｂ、２０ｃ、２０ｄへの接続をＡＣ／ＤＣコンバータ１０からバッテリ１５に切り替える。すなわち、停電が発生していない場合には、ＡＣ／ＤＣコンバータ１０が直流をＤＣ／ＤＣコンバータ２０ａ、２０ｂ、２０ｃ、２０ｄへ供給し、停電が発生した場合には、バッテリ１５が直流をＤＣ／ＤＣコンバータ２０ａ、２０ｂ、２０ｃ、２０ｄへ供給する。
【００３４】
ＤＣ／ＤＣコンバータ２０ａ、２０ｂ、２０ｃ、２０ｄは、定電流出力部としての機能を有し、所要の定電流を出力する。ＤＣ／ＤＣコンバータ２０ａ、２０ｂ、２０ｃ、２０ｄは、正端子２０１、負端子２０２を有する。より具体的には、ＤＣ／ＤＣコンバータ２０ａの正端子２０１及び負端子２０２には、多芯（例えば、電線１１ａ及び１２ａなど）ケーブルとしての直流給電線１ａが接続される。同様に、ＤＣ／ＤＣコンバータ２０ｂの正端子２０１及び負端子２０２には、多芯（例えば、電線１１ｂ及び１２ｂなど）ケーブ
ルとしての直流給電線１ｂが接続され、ＤＣ／ＤＣコンバータ２０ｃの正端子２０１及び負端子２０２には、多芯（例えば、電線１１ｃ及び１２ｃなど）ケーブルとしての直流給電線１ｃが接続され、ＤＣ／ＤＣコンバータ２０ｄの正端子２０１及び負端子２０２には、多芯（例えば、電線１１ｄ及び１２ｄなど）ケーブルとしての直流給電線１ｄが接続される。なお、本実施の形態では、簡便のため、各直流給電線が、２本の電線を有する構成として図示しているが、直流給電線が、２本より多くの電線を有する構成としてもよい。
【００３５】
ＤＣ／ＤＣコンバータ２０ａ、２０ｂ、２０ｃ、２０ｄそれぞれは、電圧調整部２１、電流調整部２２などを備える。
【００３６】
電圧調整部２１は、直流給電線に直列に接続される照明器具の数に応じて、定電流出力部の出力電圧を調整する。例えば、照明器具が複数のＬＥＤを直列に接続した光源部を備え、１台の照明器具当たりの順方向電圧をＶとし、直流給電線に直列に接続される照明器具の数をＮとすると、電圧調整部２１は、出力電圧をＶ×Ｎ＋Ｖ０に調整することができる。ここで、Ｖ０は、照明器具の順方向電圧のバラツキ及び直流給電線での電圧降下を考慮した余裕電圧である。なお、ＤＣ／ＤＣコンバータ２０ａ、２０ｂ、２０ｃ、２０ｄの出力電圧は、例えば、６００Ｖ以下とすることができ、出力電流は、例えば、３Ａ以下とすることができるが、これらの数値に限定されるものではない。
【００３７】
例えば、照明器具５０ａ、５０ｂの１台当たりの順方向電圧をＶとすると、直流給電線１ａには、４台の照明器具５０ａが直列に接続されているので、ＤＣ／ＤＣコンバータ２０ａの電圧調整部２１は、出力電圧を４×Ｖ＋Ｖ０に調整する。また、直流給電線１ｂには、８台の照明器具５０ｂが直列に接続されているので、ＤＣ／ＤＣコンバータ２０ｂの電圧調整部２１は、出力電圧を８×Ｖ＋Ｖ０に調整する。これにより、トンネル内の複数の照明器具を複数の系統に区分した場合、系統毎に照明器具の設置台数を変えることができ、照明器具の設置、増設などを容易に実施することができる。
【００３８】
調光部１８は、検出部１７で検出したトンネル２の野外輝度又は野外照度に応じた調光信号をＤＣ／ＤＣコンバータ２０ａ、２０ｂ、２０ｃ、２０ｄへ出力する。なお、調光部１８を検出部１７内に設けてもよく、あるいは調光部１８をＤＣ／ＤＣコンバータ２０ａ、２０ｂ、２０ｃ、２０ｄ内に設けてもよい。
【００３９】
なお、以下の例では、入口照明の照明器具５０ａ、５０ｄをトンネル２の野外輝度又は野外照度に応じて調光する例を説明するが、基本照明の照明器具５０ｂ、５０ｃを調光するようにしてもよい。
【００４０】
ＤＣ／ＤＣコンバータ２０ａの電流調整部２２は、検出部１７で検出した輝度又は照度の大小に応じて、直流給電線１ａを介してＤＣ／ＤＣコンバータ２０ａがトンネル２の入口付近に設置された複数の照明器具５０ａへ出力する出力電流の大小を調整する。
【００４１】
同様に、ＤＣ／ＤＣコンバータ２０ｄの電流調整部２２は、検出部１７で検出した輝度又は照度の大小に応じて、直流給電線１ｄを介してＤＣ／ＤＣコンバータ２０ｄがトンネル２の入口付近に設置された複数の照明器具５０ｄへ出力する出力電流の大小を調整する。
【００４２】
電流調整部２２は、トンネル２の野外輝度又は野外照度が大きくなった場合、ＤＣ／ＤＣコンバータ２０ａ、２０ｄが入口照明器具（照明器具５０ａ、５０ｄ）へ出力する出力電流を大きくする。また、電流調整部２２は、トンネル２の野外輝度又は野外照度が小さくなった場合、ＤＣ／ＤＣコンバータ２０ａ、２０ｄが入口照明器具へ出力する出力電流を小さくする。
【００４３】
上述のように、トンネル２の外が明るい場合には、ＤＣ／ＤＣコンバータ２０ａ、２０ｄが出力する出力電流を大きくしてトンネル２の入口付近の明るさを明るくして、運転者がトンネル２に入った直後に暗く感じることを防止することができる。また、ＤＣ／ＤＣコンバータ２０ａ、２０ｄが出力する出力電流を調整するだけで、各照明器具５０ａ、５０ｄのＬＥＤに流れる電流を調整して照明器具５０ａ、５０ｄの明るさを調整することができるので、従来のシステムのように、照明器具毎に配線された調光制御線を必要とせず、省配線、省施工、コストダウン等を図ることができる。
【００４４】
図３は本実施の形態の照明器具５０ａの構成の一例を示す説明図である。図３の例では、簡便のため、直流給電線１ａに直列に接続された４個の照明器具５０ａのうち、２個だけを例示している。なお、他の照明器具５０ｂ、５０ｃ、５０ｄも同様の構成を備えるので、説明は省略する。また、系統毎に直列に接続する照明器具の数を変えてもよく、系統毎に照明器具内のＬＥＤの数又は構成（直並列の構成）を変えてもよい。すなわち、同じ系統内の照明器具それぞれのＬＥＤの数又は構成は同一にすればよい。
【００４５】
照明器具５０ａは、入力側端子５２、５４、出力側端子５３、５５を備える。入力側端子５４と出力側端子５５とは、所定の配線で接続されている。また、照明器具５０ａは、複数のＬＥＤ５１を備える。図３の例では、７個のＬＥＤ（例えば、白色ＬＥＤなど）が直列に接続されて光源部を構成しているが、ＬＥＤ５１の数は７個に限定されるものではない。また、直列の接続されたＬＥＤ群をそれぞれ並列に接続した構成とすることもできる。最高圧側のＬＥＤ５１のアノードは、入力側端子５２に接続され、最低圧側のＬＥＤ５１のカソードは、出力側端子５３に接続されている。なお、図示していないが、終端の（最も遠方の）照明器具５０ａの出力側端子５３、５５同士は、短絡してあり、照明器具５０ａを流れる電流がＤＣ／ＤＣコンバータ２０ａへ帰還するようにしてある。
【００４６】
図３に示すように、照明器具５０ａ間は、所要の長さの送り配線を接続するだけで、電力供給装置１００から、それぞれの系統の複数の照明器具に対して一括直流給電を行うことができる。
【００４７】
上述のように、トンネル２内に設置される各照明器具５０ａ、５０ｂ、５０ｃ、５０ｄは、電力供給装置１００のＤＣ／ＤＣコンバータ２０ａ、２０ｂ、２０ｃ、２０ｄから、直流の定電流が供給され、照明器具５０ａ、５０ｂ、５０ｃ、５０ｄ内には、ＡＣ／ＤＣ変換回路及びＤＣ／ＤＣコンバータなどの電源回路部を内蔵しない。これにより、照明器具５０ａ、５０ｂ、５０ｃ、５０ｄ内のＬＥＤ５１が、電源回路部の熱の影響を受けないので、ＬＥＤ５１の温度上昇を抑制することができ、照明器具及びトンネル照明システムの信頼性を向上させることができる。
【００４８】
また、電力供給装置１００は、複数のＤＣ／ＤＣコンバータ２０ａ、２０ｂ、２０ｃ、２０ｄを備え、各ＤＣ／ＤＣコンバータ２０ａ、２０ｂ、２０ｃ、２０ｄの正端子２０１及び負端子２０２に接続された各系統の直流給電線１ａ、１ｂ、１ｃ、１ｄをさらに備える。そして、直流給電線１ａの系統に複数の照明器具５０ａを直列に接続し、直流給電線１ｂの系統に複数の照明器具５０ｂを直列に接続し、直流給電線１ｃの系統に複数の照明器具５０ｃを直列に接続し、直流給電線１ｄの系統に複数の照明器具５０ｄを直列に接続してある。
【００４９】
例えば、トンネル２内の複数の照明器具を複数の系統に区分し、系統毎にＤＣ／ＤＣコンバータを設ける。すなわち、系統毎に、一つのＤＣ／ＤＣコンバータ（例えば、ＤＣ／ＤＣコンバータ２０ａ）と、当該ＤＣ／ＤＣコンバータの正端子２０１及び負端子２０２に接続された直流給電線（例えば、直流給電線１ａ）と、当該直流給電線に直列に接続さ
れた複数の照明器具（例えば、照明器具５０ａ）を設けることができる。これにより、トンネル２内の照明器具を複数の系統毎に区分することができ、区分毎に個別に直流の定電流を供給することができるので、照明器具の設置、増設、保守点検などを容易に実施することができる。
【００５０】
また、図２の例では、ＡＣ／ＤＣコンバータ１０を１つ備える構成であるが、これに限定されない。例えば、ＡＣ／ＤＣコンバータ１０を系統毎に備える構成とすることもできる。すなわち、ＤＣ／ＤＣコンバータ２０ａ、２０ｂ、２０ｃ、２０ｄそれぞれに対応させてＡＣ／ＤＣコンバータ（合計４個）を設ける。そして、ＡＣ／ＤＣコンバータ及び／又はＤＣ／ＤＣコンバータは、系統毎にユニット化され、交換取り外しが可能とすることができる。
【００５１】
これにより、電力供給装置１００の保守や点検が容易になる。また、一つの系統におけるＡＣ／ＤＣコンバータ又はＤＣ／ＤＣコンバータを保守、点検する場合に、系統毎にユニット化されているので、他の系統の運転に影響を与えることを防止することができる。
【００５２】
本実施の形態によれば、電力給電装置１００を、トンネル２抗口付近の電源盤又は電気室に一括して収容すれば、各照明器具５０ａ、５０ｂ、５０ｃ、５０ｄは、ＬＥＤ５１で構成される光源部だけとなり、電源回路部を内蔵しないので、照明器具を軽量化、小型化、薄型化、低コスト化することができる。また、トンネル２内への照明器具の設置にあたっては、取り付け金具の経年劣化で重量物の落下事故も考えられるので、軽量化、薄型化は安全性の向上にも資することになる。さらに、照明器具が軽量化されれば、照明器具の設置作業が容易になり、作業性も向上し、作業工数も削減することができる。また、照明器具内の部品点数を削減することができるので、照明器具の故障率を低減することができ、保守・点検のための作業を削減して省メンテナンスを実現することができる。
【００５３】
また、本実施の形態によれば、電力供給装置１００が、一括して照明器具へ給電するので、各照明器具に電源回路部を設ける場合に比べて、電源回路部で発生する損失（分割損）を削減することができ、システム全体としての高効率化を図ることができる。
【００５４】
また、従来の交流給電方式では、トンネル内に電源幹線を敷設し、照明器具毎に電源幹線から支線を分岐させるので、照明器具の台数分の負荷及び電圧降下が生じる。このため、電源幹線は、電源供給点に近いほど太いケーブルを設ける必要がある。しかし、本実施の形態によれば、電力供給装置１００から高電圧（例えば、６００Ｖなど）の直流を定電流（例えば、３Ａなど）で照明器具へ供給し、直流給電線に複数の照明器具を直列に接続するので、直流給電線に流れる電流を小さくすることができ、比較的安価で細いケーブルを用いることができる。これにより、トンネル照明システムの省配線、省施工、低コスト化を図ることができる。特に、トンネル長が、長くなるほど給電線に必要な銅量が従来の場合より少なくなるので有利となる。
【００５５】
また、本実施の形態によれば、電力供給装置１００が、一括して照明器具へ所要の電流を供給することができ、トンネル内で必要となる明るさに応じて、電力供給装置１００が出力する電流を調整するだけで、照明器具の明るさを調整することができる。これにより、従来のように、電源線とは別に調光用の制御線をトンネル内の各照明器具に配線する必要がないので、省配線、省施工、低コスト化を図ることができる。
【００５６】
また、本実施の形態によれば、停電補償が必要な複数の照明器具に対して、交流が遮断した場合（停電が発生した場合）、バッテリ１５からの直流がＤＣ／ＤＣコンバータ２０ａ、２０ｂ、２０ｃ、２０ｄへ供給され、バッテリ１５により複数の照明器具を点灯させることができるので、従来のシステムのように、照明器具毎にバッテリを内蔵する必要が
ない。このため、照明器具の大型化、重量化及びコストアップを抑制することができるとともに、トンネル内の照明器具に内蔵したバッテリの交換が不要なので、保守、点検が容易になる。
【００５７】
また、停電時照明の電源補償、将来の拡張機能のため又は将来の電源供給用として、例えば、太陽電池などを有するソーラ発電装置を設け、ＤＣ／ＤＣコンバータ２０ａ、２０ｂ、２０ｃ、２０ｄへ直流を供給するようにしてもよい。
【００５８】
以上に開示された実施の形態及び実施例は、全ての点で例示であって制限的なものではない。
【符号の説明】
【００５９】
１ａ、１ｂ、１ｃ、１ｄ  直流給電線
２  トンネル
１０  ＡＣ／ＤＣコンバータ
１３  切替部
１４  リレー
１５  バッテリ
１６  遮断検出部
１７  検出部
１８  調光部
２０ａ、２０ｂ、２０ｃ、２０ｄ  ＤＣ／ＤＣコンバータ
２１  電圧調整部
２２  電流調整部
５０ａ、５０ｂ、５０ｃ、５０ｄ  照明器具
５１  ＬＥＤ
１００  電力供給装置
２０１  正端子
２０２  負端子
【図１】
2017212101.tif 000003
【図２】
2017212101.tif 000004
【図３】
2017212101.tif 000005